(57)【要約】【課題】小型化を図ることができるシングルキャビティ型のトロイダル変速機構を備える動力伝達装置を提供する。【解決手段】内燃機関ＥＮＧと電動機ＭＯＴの駆動力を用いて走行する車両に搭載されるシングルキャビティ型のトロイダル変速機構３を備える動力伝達装置１であって、トロイダル変速機構３を介して駆動輪へ動力を伝達する第１動力伝達経路と、トロイダル変速機構３を介さずに駆動輪へ動力を伝達する第２動力伝達経路とを備え、内燃機関ＥＮＧの駆動力は第１動力伝達経路を介して駆動輪に伝達され、電動機ＭＯＴの駆動力は第２動力伝達経路を介して駆動輪に伝達される。【選択図】図１
2013184655.tif 000002
【特許請求の範囲】
【請求項１】
内燃機関と電動機の駆動力を用いて走行する車両に搭載されるシングルキャビティ型のトロイダル変速機構を備える動力伝達装置であって、
前記トロイダル変速機構を介して駆動輪へ動力を伝達する第１動力伝達経路と、
前記トロイダル変速機構を介さずに駆動輪へ動力を伝達する第２動力伝達経路とを備え、
前記内燃機関の駆動力は前記第１動力伝達経路を介して駆動輪に伝達され、
前記電動機の駆動力は前記第２動力伝達経路を介して駆動輪に伝達されることを特徴とする動力伝達装置。
【請求項２】
請求項１記載の動力伝達装置であって、
前記第１動力伝達経路に、動力を伝達する伝達状態と、この伝達を断つ開放状態とに切換自在な動力伝達機構が設けられ、
前記第２動力伝達経路は、前記動力伝達機構よりも下流側で前記第１動力伝達経路と合流することを特徴とする動力伝達装置。
【請求項３】
請求項２記載の動力伝達装置であって、
前記内燃機関の動力により発電可能なジェネレータを備え、
該ジェネレータは、前記第１動力伝達経路における前記動力伝達機構よりも上流側に配置されることを特徴とする動力伝達装置。
【請求項４】
請求項１から請求項３の何れか１項に記載の動力伝達装置であって、
前記トロイダル変速機構は、ハーフトロイダル型であることを特徴とする動力伝達装置。
【請求項５】
請求項１から請求項４の何れか１項に記載の動力伝達装置であって、
前記トロイダル変速機構から駆動輪への動力伝達経路には、出力軸、又は中間軸が設けられ、
前記電動機の駆動力は、前記出力軸又は前記中間軸に設けられたギアに伝達されることを特徴とする動力伝達装置。
【発明の詳細な説明】
【技術分野】
【０００１】
本発明は、トロイダル変速機構を備える動力伝達装置に関する。
【背景技術】
【０００２】
従来、ハイブリッド車両において、エンジンを効率よく使用するために、トロイダル変速機構を使用して、エンジンや電動機が高効率の領域内で駆動するように変速を行う動力伝達装置が知られている（例えば、特許文献１参照）。また、車両重量低減のためにも駆動系装置のコンパクト化が進められており、特許文献１のものでは、ダブルキャビティ型ではなく、シングルキャビティ型のトロイダル変速機構を用いている。
【先行技術文献】
【特許文献】
【０００３】
【特許文献１】特開２００２−１０４０００号公報
【発明の概要】
【発明が解決しようとする課題】
【０００４】
トロイダル変速機構には、プラグインハイブリッド（ＰＨＥＶ）に搭載されるような電動機からの大トルクや、内燃機関と電動機の合成トルクが入力される。このため、トロイダル変速機構は、大きなトルクの入力に耐えられるように強度を高めるべくある程度の大型化が要求される。
【０００５】
本発明は、以上の点に鑑み、シングルキャビティ型のトロイダル変速機構を備える動力伝達装置において、更なる小型化を図ることを目的とする。
【課題を解決するための手段】
【０００６】
［１］上記目的を達成するため、本発明は、内燃機関と電動機の駆動力を用いて走行する車両に搭載されるシングルキャビティ型のトロイダル変速機構を備える動力伝達装置であって、前記トロイダル変速機構を介して駆動輪へ動力を伝達する第１動力伝達経路と、前記トロイダル変速機構を介さずに駆動輪へ動力を伝達する第２動力伝達経路とを備え、前記内燃機関の駆動力は前記第１動力伝達経路を介して駆動輪に伝達され、前記電動機の駆動力は前記第２動力伝達経路を介して駆動輪に伝達されることを特徴とする。
【０００７】
本発明によれば、トロイダル変速機構には、内燃機関の駆動力が伝達されるが、電動機の駆動力はトロイダル変速機構に伝達されない。従って、電動機の駆動力を考慮することなく、内燃機関の駆動力に耐え得る程度の強度を有するトロイダル変速機構を採用することができ、トロイダル変速機構の小型化を図ることができる。
【０００８】
また、シングルキャビティ型のトロイダル変速機構を用いているため、トロイダル変速機構の更なる軽量化を図ることができる。また、シングルキャビティのトロイダル変速機構は、ダブルキャビティのものと比較して、伝達効率が低下する。しかしながら、本発明の動力伝達装置では、電動機の動力はトロイダル変速機構に伝達されないため、ＥＶ走行時には、トロイダル変速機構を用いることなく走行することができる。従って、動力伝達装置全体として、軽量化及び高効率化を図ることができる。
【０００９】
［２］また、本発明においては、第１動力伝達経路に、動力を伝達する伝達状態と、この伝達を断つ開放状態とに切換自在な動力伝達機構を設け、第２動力伝達経路は、動力伝達機構よりも下流側で第１動力伝達経路と合流することが好ましい。
【００１０】
かかる構成によれば、内燃機関を停止させ、電動機の駆動力のみを用いて車両が走行するＥＶ（Electric Vehicle）走行時には、動力伝達機構を開放状態とすることにより、ＥＶ走行時のトロイダル変速機構のフリクションを低減でき、電力消費率を向上させることができる。
【００１１】
［３］また、本発明においては、内燃機関の動力により発電可能なジェネレータを設け、当該ジェネレータは、第１動力伝達経路における動力伝達機構よりも上流側に配置してもよい。
【００１２】
かかる構成によれば、動力伝達機構を開放状態とし、内燃機関でジェネレータを駆動させて、発電させることができ、この発電により電動機を駆動させて、シリーズ方式のハイブリッドシステムを構成することができる。このとき、内燃機関は、トロイダル変速機構を引き摺り回すこととなるが、本発明のトロイダル変速機構はコンパクト化されているため、フリクションを抑制して、ロスを最小限に抑えることができる。
【００１３】
［４］また、本発明においては、トロイダル変速機構をハーフトロイダル型で構成してもよい。ハーフトロイダル型では、パワーローラが、入力ディスクと出力ディスクとで画成されるキャビティの外側に押し出される力が発生する。従って、本発明を、上述の如く構成すれば、トロイダル変速機構は、入力トルクが小さいため、パワーローラが入力ディスクと出力ディスクとで画成されるキャビティの外側に押し出される力が低減され、パワーローラを押圧する機構の小型化を図ることができる。また、フルトロイダル型と比較して、トロイダル変速機構の小型化を図ることができる。
【００１４】
［５］また、本発明においては、第１及び第２の２つの動力伝達経路は、互いに合流するところに、出力軸、又は中間軸を設け、電動機の駆動力を、出力軸又は中間軸に設けられたギアに伝達するように構成してもよい。かかる構成によれば、電動機の配置自由度が向上するため、ファイナルドリブンギアに接続されるデファレンシャルギアと電動機とが干渉することを容易に防止することができる。
【図面の簡単な説明】
【００１５】
【図１】本発明の動力伝達装置の第１実施形態を示すスケルトン図。
【図２】第１実施形態の動力伝達装置を軸方向から示す説明図。
【図３】本発明の動力伝達装置の第２実施形態を示すスケルトン図。
【図４】第２実施形態の動力伝達装置を軸方向から示す説明図。
【図５】本発明の動力伝達装置の第３実施形態を示すスケルトン図。
【図６】本発明の動力伝達装置の第４実施形態を示すスケルトン図。
【図７】本発明の動力伝達装置の第５実施形態を示すスケルトン図。
【発明を実施するための形態】
【００１６】
［第１実施形態］
図１及び図２を参照して、本発明の動力伝達装置の第１実施形態を説明する。本実施形態の動力伝達装置１は、エンジンからなる内燃機関ＥＮＧからの動力が伝達される入力軸２と、入力軸２に設けられたトロイダル変速機構３と、入力軸２と平行に配置された出力軸４と、電動機ＭＯＴとを備える。
【００１７】
トロイダル変速機構３は、キャビティ３ａを１つだけ備えるシングルキャビティ型のものであり、入力軸２に固定された入力ディスク３１と、入力ディスク３１に対向して配置され、入力軸２に回転自在に保持された出力ディスク３２と、入力ディスク３１と出力ディスク３２との間に配置されたパワーローラ３３と、出力ディスク３２と相対回転自在に設けられた中間駆動ギア３４と、中間駆動ギア３４と出力ディスク３２とを解除自在に連結するトロイダル用クラッチ３５（動力伝達機構）とを備える。
【００１８】
入力軸２は、内燃機関ＥＮＧ側の端部に配置された深溝玉ベアリング２ａ、及びトロイダル変速機構３を挟むように配置されたアンギュラ玉ベアリング２ａ’，２ａ’を介して動力伝達装置１のケース１ａに回転自在に軸支されている。また、パワーローラ３３には、スラスト玉ベアリング３３ａがトラニオン３３ｂとの間に位置するように設けられている。スラスト玉ベアリング３３ａの転送溝は、パワーローラ３３及びトラニオン３３ｂに設けられている。これらベアリング２ａ，２ａ’，３３ａの形式は適宜変更してもよい。
【００１９】
本実施形態においては、トロイダル用クラッチ３５（動力伝達機構）が、中間駆動ギア３４と出力ディスク３２とを連結する状態を連結状態とし、この連結を断つ状態を開放状態と定義する。
【００２０】
出力軸４には、中間駆動ギア３４と噛合する中間従動ギア４１と、出力ギア４２とが一体回転するように固定されている。出力ギア４２には、ファイナルドリブンギア５が噛合する。出力ギア４２から出力された動力は、デファレンシャルギアＤＦを介して図示省略した駆動輪に伝達される。出力軸４は、下流ベアリング４ａを介してケース１ａに回転自在に軸支されている。
【００２１】
また、中間従動ギア４１には、電動機ＭＯＴのモータピニオンＭＰが噛合している。
【００２２】
第１実施形態における第１動力伝達経路は、入力軸２、トロイダル変速機構３、中間従動ギア４１、出力軸４、出力ギア４２、ファイナルドリブンギア５、デファレンシャルギアＤＦとなる。第１実施形態における第２動力伝達経路は、モータピニオンＭＰ、中間従動ギア４１、出力軸４、出力ギア４２、ファイナルドリブンギア５、デファレンシャルギアＤＦとなる。
【００２３】
第１実施形態の動力伝達装置１によれば、内燃機関ＥＮＧの駆動力はトロイダル変速機構３に伝達されるが、電動機ＭＯＴの駆動力はトロイダル変速機構３に伝達されない。従って、電動機ＭＯＴの駆動力を考慮することなく、内燃機関ＥＮＧの駆動力に耐え得る程度の強度を有するトロイダル変速機構３を採用することができ、トロイダル変速機構３の小型化を図ることができる。
【００２４】
また、後述する第２実施形態の動力伝達装置１と比較して、電動機ＭＯＴとデファレンシャルギアＤＦとの軸方向の間隔を比較的広く採ることができる。このため、電動機ＭＯＴとデファレンシャルギアＤＦとが干渉し難く、電動機ＭＯＴとして比較的高出力の大型の電動機を採用することができる。または、比較的低出力の電動機ＭＯＴを用いて動力伝達装置１の小型化を図ることもできる。
【００２５】
また、内燃機関ＥＮＧを停止させ、電動機ＭＯＴの駆動力のみを用いて車両が走行するＥＶ（Electric Vehicle）走行時には、トロイダル用クラッチ３５（動力伝達機構）を開放状態とすることにより、ＥＶ走行時のトロイダル変速機構３のフリクションを低減でき、電力消費率を向上させることができる。
【００２６】
また、本実施形態のトロイダル変速機構３は、ハーフトロイダル型で構成されている。ハーフトロイダル型では、パワーローラ３３が、入力ディスク３１と出力ディスク３２とで画成されるキャビティ３ａの外側に押し出される力が発生する。本実施形態のトロイダル変速機構３は、入力トルクが小さいため、パワーローラ３３が入力ディスク３１と出力ディスク３２とで画成されるキャビティ３ａの外側に押し出される力が低減され、パワーローラ３３を押圧する機構（図示省略）の小型化を図ることができる。また、フルトロイダル型と比較して、トロイダル変速機構３の小型化を図ることができる。
【００２７】
また、本実施形態の動力伝達装置１は、トロイダル変速機構３をシングルキャビティで構成している。このため、ダブルキャビティのトロイダル変速機構と比較して軽量化及び小型化を図ることができる。
【００２８】
ここで、シングルキャビティのトロイダル変速機構は、ダブルキャビティのように軸方向の力が相殺されないため、構成部品の強度を高める必要があり、ダブルキャビティのものと比較して伝達効率が低下する。しかしながら、本実施形態の動力伝達装置１では、電動機ＭＯＴの動力はトロイダル変速機構３に入力されない。このため、ＥＶ走行時には、トロイダル変速機構３を用いることなく走行することができ、動力伝達装置全体として、軽量化及び高効率化を図ることができる。
【００２９】
また、本実施形態の動力伝達装置１は、電動機の駆動力を出力軸４に設けられた中間従動ギア４１に伝達する。従って、ケース１ａ内における電動機ＭＯＴの配置自由度が向上し、デファレンシャルギアＤＦと電動機ＭＯＴとが干渉することを容易に防止することができる。
【００３０】
図２は、第１実施形態の動力伝達装置１を軸方向から模式的に表し、入力軸２、出力軸４、電動機ＭＯＴ、及びデファレンシャルギアＤＦの回転中心軸の相対的な位置関係を模式的に示している。図２によれば、電動機ＭＯＴとデファレンシャルギアＤＦとは重なっており、互いに干渉しているように見えるが、図１から示唆されるように、実際には、軸方向に位置がずれており、電動機ＭＯＴとデファレンシャルギアＤＦとが互いに干渉することはない。
【００３１】
また、第１実施形態の動力伝達装置１では、トルクコンバータや発進クラッチなどの発進デバイスやリバース機構を電動機ＭＯＴで代替している。これにより、本実施形態の動力伝達装置１は、軽量且つコンパクトで、更なるトロイダル変速機構３を通過するトルクの頻度を低減させることができる。
【００３２】
［第２実施形態］
次に、図３及び図４を参照して、本発明の動力伝達装置の第２実施形態を説明する。第２実施形態の動力伝達装置１では、中間駆動ギア３４とトロイダル用クラッチ（動力伝達機構）３５との位置が入れ替わり、中間従動ギア４１と出力ギア４２との位置も入れ替わり、モータピニオンＭＰは、モータ中間ピニオンＭＩＰを介して、中間従動ギア４１に噛合している。これらの点を除いた他の構成は、第１実施形態と同一に構成される。
【００３３】
第２実施形態の第１動力伝達経路は、第１実施形態と同一であり、入力軸２、トロイダル変速機構３、中間従動ギア４１、出力軸４、出力ギア４２、ファイナルドリブンギア５、デファレンシャルギアＤＦとなる。第２実施形態の第２動力伝達経路は、モータピニオンＭＰ、モータ中間ピニオンＭＩＰ、中間従動ギア４１、出力軸４、出力ギア４２、ファイナルドリブンギア５、デファレンシャルギアＤＦとなる。
【００３４】
第２実施形態の動力伝達装置１によっても、内燃機関ＥＮＧの駆動力はトロイダル変速機構３に伝達されるが、電動機ＭＯＴの駆動力はトロイダル変速機構３に伝達されない。従って、電動機ＭＯＴの駆動力を考慮することなく、内燃機関ＥＮＧの駆動力に耐え得る程度の強度を有するトロイダル変速機構３を採用することができ、トロイダル変速機構３の小型化を図ることができる。
【００３５】
なお、第２実施形態の動力伝達装置１においては、中間駆動ギア３４とトロイダル用クラッチ（動力伝達機構）３５との位置が入れ替わることにより、電動機ＭＯＴとデファレンシャルギアＤＦとが径方向に重なり合う部分が生じる。このため、第２実施形態の動力伝達装置１においては、図４に示すように、モータ中間ピニオンＭＩＰを用いることにより、電動機ＭＯＴとデファレンシャルギアＤＦとが干渉することを防止している。
【００３６】
［第３実施形態］
次に、図５を参照して、本発明の動力伝達装置の第３実施形態を説明する。本実施形態の動力伝達装置１は、エンジンからなる内燃機関ＥＮＧからの動力が伝達される入力軸２と、入力軸２に設けられたトロイダル変速機構３と、入力軸２と平行に配置された出力軸４と、入力軸２及び出力軸４と平行に配置された中間軸６と、入力軸２と同心に配置された電動機ＭＯＴとを備える。
【００３７】
トロイダル変速機構３は、キャビティ３ａを１つだけ備えるシングルキャビティ型のものであり、入力軸２に固定された入力ディスク３１と、入力ディスク３１に対向して配置され、入力軸２に回転自在に保持された出力ディスク３２と、入力ディスク３１と出力ディスク３２との間に配置されたパワーローラ３３と、出力ディスク３２と一体的に回転するように設けられた中間駆動ギア３４とを備える。
【００３８】
入力軸２は、内燃機関ＥＮＧ側の端部に配置された深溝玉ベアリング２ａ、及びトロイダル変速機構３を挟むように配置されたアンギュラ玉ベアリング２ａ’を介してケース１ａに回転自在に軸支されている。また、パワーローラ３３には、スラスト玉ベアリング３３ａがトラニオン３３ｂとの間に位置するように設けられている。スラスト玉ベアリング３３ａの転送溝は、パワーローラ３３及びトラニオン３３ｂに設けられている。これらベアリング２ａ，２ａ’，３３ａの形式は適宜変更してもよい。
【００３９】
中間軸６は、ベアリング６ａを介してケース１ａに回転自在に軸支されている。中間軸６には、第１中間ギア６１が回転自在に軸支されている。また、中間軸６には、第２中間ギア６２及び第３中間ギア６３が一体回転するように固定されている。また、中間軸６には、スリーブ６４ａを軸方向にスライドさせることにより、中間軸６と第１中間ギア６１とを連結する連結状態と、この連結を断つ開放状態とに切換自在な同期噛合機構６４（動力伝達機構）が設けられている。
【００４０】
電動機ＭＯＴのロータＲＯは、入力軸２に回転自在に配置されている。電動機ＭＯＴのロータＲＯには、モータギアＭＧが一体回転するように設けられている。モータギアＭＧは、第２中間ギア６２と噛合している。ロータＲＯ及びモータギアＭＧは、深溝玉ベアリング２ｂ，２ｂでケース１ａに回転自在に軸支されている。
【００４１】
出力軸４には、第３中間ギア６３と噛合する中間従動ギア４１と、出力ギア４２とが一体回転するように固定されている。出力ギア４２には、ファイナルドリブンギア５が噛合する。出力ギア４２から出力された動力は、デファレンシャルギアＤＦを介して駆動輪に伝達される。出力軸４は、下流ベアリング４ａを介してケース１ａに回転自在に軸支されている。
【００４２】
第３実施形態における第１動力伝達経路は、入力軸２、トロイダル変速機構３、第１中間ギア６１、同期噛合機構６４、中間軸６、第３中間ギア６３、中間従動ギア４１、出力軸４、出力ギア４２、ファイナルドリブンギア５、デファレンシャルギアＤＦとなる。第２動力伝達経路は、モータギアＭＧ、第２中間ギア６２、中間軸６、第３中間ギア６３、中間従動ギア４１、出力軸４、出力ギア４２、ファイナルドリブンギア５、デファレンシャルギアＤＦとなる。電動機ＭＯＴの駆動力は、モータギアＭＧ、第２中間ギア６２を介して、中間軸６に伝達される。
【００４３】
第３実施形態の動力伝達装置１によっても、内燃機関ＥＮＧの駆動力はトロイダル変速機構３に伝達されるが、電動機ＭＯＴの駆動力はトロイダル変速機構３に伝達されない。従って、電動機ＭＯＴの駆動力を考慮することなく、内燃機関ＥＮＧの駆動力に耐え得る程度の強度を有するトロイダル変速機構３を採用することができ、トロイダル変速機構３の小型化を図ることができる。
【００４４】
また、電動機ＭＯＴを入力軸２と同心とすることで、動力伝達装置１の小型化を図ることができ、車両への搭載性の向上を図ることができる。
【００４５】
なお、第３実施形態の動力伝達装置１において、同期噛合機構６４を中間軸６に設けたものを説明したが、本発明の動力伝達装置はこれに限らない。例えば、動力伝達機構たる同期噛合機構６４を出力ディスク３２に設け、出力ディスク３２と中間駆動ギア３４とを連結する連結状態と、この連結を断つ開放状態とに切換自在としてもよい。この場合、動力伝達機構たる同期噛合機構６４と電動機ＭＯＴとが同軸となる。
【００４６】
［第４実施形態］
次に、図６を参照して、本発明の動力伝達装置の第４実施形態を説明する。本実施形態の動力伝達装置１は、エンジンからなる内燃機関ＥＮＧからの動力が伝達される入力軸２と、入力軸２に設けられたトロイダル変速機構３と、入力軸２と平行に配置された出力軸４と、電動機ＭＯＴとを備える。
【００４７】
トロイダル変速機構３は、キャビティ３ａを１つだけ備えるシングルキャビティ型のものであり、入力軸２に固定された入力ディスク３１と、入力ディスク３１に対向して配置され、入力軸２に回転自在に保持された出力ディスク３２と、入力ディスク３１と出力ディスク３２との間に配置されたパワーローラ３３と、出力ディスク３２と相対回転自在に設けられた中間駆動ギア３４と、中間駆動ギア３４と出力ディスク３２とを解除自在に連結するトロイダル用ドグクラッチ３６（動力伝達機構）とを備える。
【００４８】
入力軸２は、内燃機関ＥＮＧ側の端部に配置された深溝玉ベアリング２ａ、及びトロイダル変速機構３を挟むように配置されたアンギュラ玉ベアリング２ａ’を介してケース１ａに回転自在に軸支されている。また、パワーローラ３３には、スラスト玉ベアリング３３ａがトラニオン３３ｂとの間に位置するように設けられている。スラスト玉ベアリング３３ａの転送溝は、パワーローラ３３及びトラニオン３３ｂに設けられている。これらベアリング２ａ，２ａ’，３３ａの形式は適宜変更してもよい。
【００４９】
本実施形態においては、スリーブ３６ａを軸方向にスライドさせることにより、トロイダル用ドグクラッチ３６（動力伝達機構）が、中間駆動ギア３４と出力ディスク３２とを連結する状態を連結状態とし、この連結を断つ状態を開放状態と定義する。
【００５０】
出力軸４には、中間駆動ギア３４と噛合する中間従動ギア４１と、出力ギア４２とが一体回転するように固定されている。出力ギア４２には、ファイナルドリブンギア５が噛合する。出力ギア４２から出力された動力は、デファレンシャルギアＤＦを介して駆動輪に伝達される。出力軸４は、下流ベアリング４ａを介してケース１ａに回転自在に軸支されている。
【００５１】
また、中間従動ギア４１には、電動機ＭＯＴのモータピニオンＭＰが、モータ中間ピニオンＭＩＰを介して、噛合している。
【００５２】
入力ディスク３１の外周には、外歯３１ａが設けられている。なお、外歯３１ａに変えて入力ディスク３１に固定されたギアを用いてもよい。外歯３１ａには、スタータ中間ピニオンＳＩＰを介して、スタータ・ジェネレータＩＳＧ（Integrated Starter Generator）のスタータピニオンＳＰが噛合している。スタータ・ジェネレータＩＳＧは、内燃機関ＥＮＧを始動させることができると共に、内燃機関ＥＮＧの駆動力で発電して、バッテリー（図示省略）に充電することもできる。そして、充電されたバッテリー（図示省略）で電動機ＭＯＴを駆動させ、シリーズ方式のハイブリッドシステムとすることができる。なお、シリーズ方式で走行する場合には、内燃機関ＥＮＧは、トロイダル変速機構３を一緒に連れ回すこととなる。しかしながら、本実施形態のトロイダル変速機構３は、ハーフトロイダル型であり、且つシングルキャビティ型であるため、比較的コンパクトであり、トロイダル変速機構３によるフリクションは小さく、ロスが低減される。
【００５３】
第４実施形態の動力伝達装置１によっても、内燃機関ＥＮＧの駆動力はトロイダル変速機構３に伝達されるが、電動機ＭＯＴの駆動力はトロイダル変速機構３に伝達されない。従って、電動機ＭＯＴの駆動力を考慮することなく、内燃機関ＥＮＧの駆動力に耐え得る程度の強度を有するトロイダル変速機構３を採用することができ、トロイダル変速機構３の小型化を図ることができる。
【００５４】
また、内燃機関ＥＮＧを停止させ、電動機ＭＯＴの駆動力のみを用いて車両が走行するＥＶ（Electric Vehicle）走行時には、トロイダル用ドグクラッチ３６（動力伝達機構）を開放状態とすることにより、ＥＶ走行時のトロイダル変速機構３のフリクションを低減でき、電力消費率を向上させることができる。
【００５５】
また、本実施形態のトロイダル変速機構３は、ハーフトロイダル型で構成されている。ハーフトロイダル型では、パワーローラ３３が、入力ディスク３１と出力ディスク３２とで画成されるキャビティ３ａの外側に押し出される力が発生する。本実施形態のトロイダル変速機構３は、入力トルクが小さいため、パワーローラ３３が入力ディスク３１と出力ディスク３２とで画成されるキャビティ３ａの外側に押し出される力が低減される。また、フルトロイダル型と比較して、トロイダル変速機構３の小型化を図ることができる。
【００５６】
なお、図７に示す第５実施形態のように、スタータ・ジェネレータＩＳＧを内燃機関ＥＮＧと同軸に設けてもよい。この場合、第４実施形態の外歯３１ａ、スタータ中間ピニオンＳＩＰ、スタータピニオンＳＰが不要となり、歯の噛み合いによる損失がなくなって、シリーズ方式で走行するときの効率が上昇する。
【符号の説明】
【００５７】
１…動力伝達装置、１ａ…ケース、２…入力軸、２ａ…深溝玉ベアリング、２ａ’…アンギュラ玉ベアリング、２ｂ…深溝玉ベアリング、３…トロイダル変速機構、３ａ…キャビティ、３１…入力ディスク、３１ａ…外歯、３２…出力ディスク、３３…パワーローラ、３３ａ…スラスト玉ベアリング、３３ｂ…トラニオン、３４…中間駆動ギア、３５…トロイダル用クラッチ（動力伝達機構）、３６…トロイダル用ドグクラッチ（動力伝達機構）、３６ａ…スリーブ、４…出力軸、４ａ…深溝玉ベアリング、４１…中間従動ギア、４２…出力ギア、５…ファイナルドリブンギア、６…中間軸、６ａ…深溝玉ベアリング、６１…第１中間ギア、６２…第２中間ギア、６３…第３中間ギア、６４…同期噛合機構（動力伝達機構）、ＥＮＧ…内燃機関、ＭＯＴ…電動機、ＲＯ…ロータ、ＭＰ…モータピニオン、ＭＩＰ…モータ中間ピニオン、ＭＧ…モータギア、ＤＦ…デファレンシャルギア、ＩＳＧ…スタータ・ジェネレータ（ジェネレータ）、ＳＰ…スタータピニオン、ＳＩＰ…スタータ中間ピニオン。
【図１】
2013184655.tif 000003
【図２】
2013184655.tif 000004
【図３】
2013184655.tif 000005
【図４】
2013184655.tif 000006
【図５】
2013184655.tif 000007
【図６】
2013184655.tif 000008
【図７】
2013184655.tif 000009